(57)【要約】      （修正有）【課題】所定の位置での開封が容易で、触感によって容易に開封位置を探し当てることができる包装袋を提供する。【解決手段】周縁部がヒートシールされた包装袋であって、該ヒートシール部の一部に、包装袋の端部にかかる複数の開封補助手段が設けられている包装袋の、前記開封補助手段が、前記包装袋の周長方向に対して５ｍｍ〜３０ｍｍの間に複数設けられ、前記開封補助手段は、ハーフカットまたは切込みであり、前記開封補助手段の包装袋の端部に対向する側に隣接して１ないし複数の凹凸からなる開封位置ガイドが設けられて、開封位置ガイドは前記包装袋の周長方向に対して前記開封補助手段と同程度の長さに設けられていることを特徴とする包装袋。【選択図】図３
0003142921.tif 000002
【実用新案登録請求の範囲】
【請求項１】
周縁部がヒートシールされた包装袋であって、該ヒートシール部の一部に該包装袋の端部にかかる複数の開封補助手段が設けられていることを特徴とする易開封性包装袋。
【請求項２】
前記複数の開封補助手段が前記包装袋の周長方向に対して５ｍｍ〜３０ｍｍの範囲に設けられている事を特徴とする請求項１に記載の易開封性包装袋。
【請求項３】
前記開封補助手段がハーフカットであることを特徴とする請求項１または２に記載の易開封性包装袋。
【請求項４】
前記開封補助手段が切込みであることを特徴とする請求項１または２に記載の易開封性包装袋。
【請求項５】
前記開封補助手段の包装袋の端部に対向する側に隣接して、１ないし複数の凹凸からなる開封位置ガイドが設けられていることを特徴とする請求項１ないし４のいずれかに記載の易開封性包装袋。
【請求項６】
前記開封位置ガイドが前記包装袋の周長方向に対して前記開封補助手段とほぼ同程度の長さに設けられていることを特徴とする請求項５に記載の易開封性包装袋。
【考案の詳細な説明】
【技術分野】
【０００１】
本考案は、周縁部がヒートシールされ、その周縁部に開封補助手段を有する包装袋に関し、より詳細には、所定の位置での開封が容易で、さらに視覚的能力が低下した（又は無い）状態であっても触感により容易に開封位置を探し当てることができる包装袋に関する。
【背景技術】
【０００２】
例えば、各種の食品や、医薬医療品、詰め替え用品等の包装袋において、開封を容易にするためのハーフカットや切込みなどの開封補助手段が設けられている包装袋が広く使用されている。
しかしながら、開封補助手段が包装袋の一辺に対して一つしか設けられていない場合では、目視や触感により開封補助手段を探し当てるのが困難な場合があった。
【０００３】
この様な問題を解決すべく、特許文献１には、包装材料の端縁部に多数の切込みを設けた端縁部同士を重ね合わせてヒートシールしたシール部を有する包装袋が提案されている。
ここで提案されている包装袋は、包装袋の一辺全面にわたって多数の切込みを設けたものであり、一辺全面のどこからでも開封が可能となり開封補助手段を探し当てる手間はないが、開封位置は開封者に任されるもので、場合によっては意図しない場所を開封してしまい、内容物をこぼしてしまうなどの不都合を生じることのあるものである。
【０００４】
また、特許文献２には開封用切込みとその両脇に凹凸を設けた包装袋が提案されている。
ここで提案されている包装袋は、開封用切込みを挟んでその両脇に凹凸が設けられているので、触感によって切込み位置を探し当てることは可能であるが、凹凸間の一ヶ所にしか切込みがないので、開封時には切込みを挟んだ両脇の凹凸の各々を確実に探し当てる必要のあるものである。
【特許文献１】特開平７−２５７５９７号公報
【特許文献２】特開２０００−１５３８５４号公報
【考案の開示】
【考案が解決しようとする課題】
【０００５】
本考案は、かかる従来技術の問題点に鑑み創案されたものであり、その目的は、所定の位置での開封が容易で、さらには視覚的能力が低下した（又は無い）状態であっても触感により容易に開封位置を探し当てることができる包装袋を提供することにある。
【課題を解決するための手段】
【０００６】
本考案者は、かかる目的を達成するために周縁部がヒートシールされその周縁部に開封補助手段を有する包装袋について鋭意検討した結果、包装袋の周縁ヒートシール部の一部に包装袋の端部にかかる複数の開封補助手段を設け、さらに開封補助手段の包装袋の端部に対向する側に１ないし複数の凹凸からなる開封位置ガイドを設けることで所定位置での開封が容易で、さらには視覚的能力が低下した（又は無い）状態であっても触感によって容易に開封位置を探し当てることができる包装袋とすることが可能なことを見出し、本考案の完成に至った。
【０００７】
即ち、本考案は、周縁部がヒートシールされた包装袋であって、該ヒートシール部の一部に包装袋の端部にかかる複数の開封補助手段が設けられている易開封性包装袋を提供する。
【０００８】
ここで、前記開封補助手段が前記包装袋の周長方向に対して５ｍｍ〜３０ｍｍの範囲に複数設けられている事が好ましい。
また、前記開封補助手段がハーフカットであることが好ましい。
また、前記開封補助手段が切込みであることが好ましい。
さらに、前記開封補助手段の包装袋の端部に対向する側に隣接して１ないし複数の凹凸からなる開封位置ガイドが設けられていることが好ましい。
また、前記開封位置ガイドが前記包装袋の周長方向に対して前記開封補助手段と同程度の長さに設けられていることが好ましい。
【考案の効果】
【０００９】
本考案の包装袋によれば、包装袋の周縁のヒートシール部の一部に包装袋の端部にかかる複数の開封補助手段を有するので、ある程度の範囲内に開封位置を制御しながら容易に開封することができる。
また、開封補助手段に隣接して１ないし複数の凹凸を設けたので視覚的能力が低下した（又は無い）状態であっても触感によって容易に開封位置を探し当てることができる。
そのため、視覚的能力が低下した（又は無い）状態であっても包装袋を所定位置で容易に開封することができる。
【考案を実施するための最良の形態】
【００１０】
本考案の包装袋の一例を図面を用いて以下に説明するが、本考案はこれらに限定されるものではない。
図１は本考案の包装袋の１例を示す平面図、図２（ａ），（ｂ）は図１の開封補助手段部のＡ−Ａ断面の模式図、図３および図４は本考案の包装袋の別の形態例を示す平面図である。
【００１１】
図１に示すように、本形態例の包装袋１は、その周縁をヒートシールしたヒートシール部２が設けられ、ヒートシール部２の一部に包装袋１の端部３にかかる複数の開封補助手段４が設けられている。
開封補助手段４は包装袋１の周長方向に対してＷ１の範囲内にほぼ均等に複数設けられている。ここでＷ１は５〜３０ｍｍの範囲にあることが好ましく、５ｍｍ以下であると開封位置を探し当てるのに手間がかかり、３０ｍｍ以上の場合は開封可能な範囲が広くなりすぎ開封位置の制御が困難となる。
また、開封補助手段４はＷ１の範囲内において、隣り合う開封補助手段４どうしの間隔を１〜２ｍｍとすることが好ましく、その長さは端部３からヒートシール部２の幅方向へ１〜３ｍｍ程度であることが好ましい。
開封補助手段４は、図２（ａ）に示すようにヒートシール部２の厚み方向へ貫通していないハーフカット４１でもよく、図２（ｂ）に示すようなヒートシール部２の厚み方向へ貫通する切込み４２でもよい。
【００１２】
開封補助手段４の形成方法としては特に限定されるものではないが、製袋用のヒートシールバーや、打ち抜き刃型などに開封補助手段４を形成する刃型を設けて製袋時に形成したり、製袋前や製袋中、製袋後など任意のタイミングでレーザーによって形成したりすることができる。
【００１３】
図３に示すように、本考案の別の形態例では、開封位置ガイド５が開封補助手段４の包装袋１の端部３に対向する側に隣接して設けられている。
開封位置ガイド５は包装袋１の周長方向に対してＷ２の範囲内にほぼ均等に設けられている。ここでＷ２はＷ１とほぼ同程度の長さであることが好ましく、Ｗ１よりも短いと触感によって開封位置を探し当てることが困難となり、Ｗ１よりも長いと開封補助手段４が設けられていない位置を開封しようとしてしまう不都合が生じる場合がある。
また、開封位置ガイド５はヒートシール部２の幅方向に対して２〜５ｍｍ幅程度の範囲に設けることが好ましい。また開封位置ガイド５はヒートシール部２をはみ出して設けてもよいが、気密性や衛生性を求める内容物を収納する場合などでは、ピンホールなどが懸念されるため、開封位置ガイド５はヒートシール部２の幅内に収めることが好ましい。
また、開封位置ガイド５は開封補助手段４に重なって設けられていてもよい。
【００１４】
開封位置ガイド５の形成方法としては特に限定されるものではないが、型押しで形成する場合では、製袋用のヒートシールバーに凹凸を設けておくとヒートシールの熱により材料が柔軟になったところで型押しされるので凹凸をつけやすい。また、開封補助手段４の形成刃型を設けたヒートシールバーに凹凸を設けると開封補助手段４と開封位置ガイド５との位置関係にずれが生じないので好ましい。
また、開封位置ガイド５はエネルギー線硬化樹脂などを印刷し硬化することで形成されてもよい。
【００１５】
本考案の包装袋１を構成する素材としては、ヒートシール性を有するポリエチレン（ＰＥ）、ポリプロピレン（ＰＰ）、エチレン−酢酸ビニル共重合体（ＥＶＡ）などのポリオレフィン系樹脂からなるフィルムが挙げられ、これらのフィルムを単層で使用してもよいし、これらのヒートシール性を有するフィルムをシーラント層とし、延伸フィルムなどからなる基材層を積層したラミネートフィルムを用いることもできる。
基材層としては、ポリエチレンテレフタレート（ＰＥＴ）等のポリエステル系樹脂、ナイロン等のポリアミド系樹脂などからなる単層または多層の組み合わせを用いることができる。
また、ガスバリア性を付与するため、前記フィルムにアルミナ（Ａｌ２Ｏ３）やシリカ（ＳｉＯＸ）等のセラミックを蒸着してなるセラミック蒸着膜や、アルミニウム箔等の金属層を設けることもできる。
また、開封位置ガイド５を型押しで形成する場合には、アルミニウム箔等の金属層を設けておくと、型がつきやすく好ましい。
なお、これらフィルム等の積層方法としては、押出しラミネート、共押出しラミネート、ドライラミネート、など公知の方法が採用できる。
これら包装袋１を構成する素材の組合せは、その内容物特性や用途などによって、適宜決定することができる。
【００１６】
以上、本考案について説明したが、本考案は、これに限定されることなく、本考案の要旨を逸脱しない範囲で変更することができる。例えば、図４に示す形態例のように、包装袋１の底部に二つ折りのフィルムを挿入しヒートシールした自立袋としてもよい。
また、開封補助手段４や開封位置ガイド５は、その内容物や目的によって任意の位置へ設けられるものである。
【産業上の利用可能性】
【００１７】
本考案の包装袋は、各種の食品や、医薬医療品、詰め替え用品等の包装袋として極めて有用である。
【図面の簡単な説明】
【００１８】
【図１】本考案の包装袋の１例を示す平面図である。
【図２】本考案の包装袋の開封補助手段のＡ−Ａ断面図であり、（ａ）はハーフカットの模式図、（ｂ）は切込みの模式図である。
【図３】本考案の包装袋の別の形態例を示す平面図である。
【図４】本考案の包装袋の別の形態例を示す平面図である。
【符号の説明】
【００１９】
１  本考案の包装袋
２  ヒートシール部
３  端部
４  開封補助手段
５  開封位置ガイド
４１  ハーフカットによる開封補助手段
４２  切込みによる開封補助手段
Ｗ１  開封補助手段の包装袋の周長方向に対する長さ
Ｗ２  開封位置ガイドの包装袋の周長方向に対する長さ
【図１】
0003142921.tif 000003
【図２】
0003142921.tif 000004
【図３】
0003142921.tif 000005
【図４】
0003142921.tif 000006